(57)【要約】本発明は、映像を表示する領域をブラックで囲むことができ、映像が全体画面で偏ることなくバランスよく表示されて表示品質を向上させることができる液晶表示装置および映像表示方法を提供する。本発明による液晶表示装置は、複数のゲート線、ゲート線と交差する複数のデータ線、およびゲート線のうちの一つとデータ線のうちの一つとにそれぞれ連結されている複数の画素を含む液晶表示板組立体と、画素に映像信号を提供する駆動部とを含む。この時、液晶表示板組立体は非表示領域のうちの少なくとも一側が切断されて除去されており、駆動部は除去された非表示領域と隣接した第１表示領域にブラックを表示する。
2011524545.tif 000002
【特許請求の範囲】
【請求項１】
複数のゲート線、前記ゲート線と交差する複数のデータ線、および前記ゲート線のうちの一つと前記データ線のうちの一つとにそれぞれ連結されている複数の画素を含む液晶表示板組立体と、
前記画素に映像信号を提供する駆動部と、
を含み、
前記液晶表示板組立体は、非表示領域のうちの少なくとも一側が切断されて除去されており、
前記駆動部は、前記除去された非表示領域と隣接した第１表示領域にブラックを表示する、
液晶表示装置。
【請求項２】
前記液晶表示板組立体は前記ゲート線に沿って切断されており、前記第１表示領域は前記ゲート線に沿って形成される、請求項１に記載の液晶表示装置。
【請求項３】
前記第１表示領域は少なくとも一つのゲート線に対応し、前記駆動部は前記少なくとも一つのゲート線に連結されている画素にブラックデータを提供する、請求項２に記載の液晶表示装置。
【請求項４】
前記第１表示領域は少なくとも一つのゲート線に対応し、前記少なくとも一つのゲート線はゲートオフ電圧に連結されている、請求項２に記載の液晶表示装置。
【請求項５】
前記第１表示領域は複数のゲート線に対応し、前記複数のゲート線のうちの少なくとも二つのゲート線は互いに連結されている、請求項２に記載の液晶表示装置。
【請求項６】
前記液晶表示板組立体は前記データ線に沿って切断されており、前記第１表示領域は前記データ線に沿って形成されている、請求項１に記載の液晶表示装置。
【請求項７】
前記第１表示領域は少なくとも一つのデータ線に対応し、前記駆動部は前記少なくとも一つのデータ線に連結されている画素にブラックデータを提供する、請求項６に記載の液晶表示装置。
【請求項８】
前記液晶表示板組立体は前記ゲート線およびデータ線に沿って切断されており、前記第１表示領域は前記ゲート線およびデータ線に沿って形成される、請求項１に記載の液晶表示装置。
【請求項９】
前記第１表示領域は少なくとも一つのゲート線および少なくとも一つのデータ線に対応し、前記駆動部は前記少なくとも一つのゲート線および前記少なくとも一つのデータ線に連結されている画素にブラックデータを提供する、請求項８に記載の液晶表示装置。
【請求項１０】
前記駆動部は前記液晶表示板組立体にダミーデータを提供する、請求項１乃至請求項９のいずれか一項に記載の液晶表示装置。
【請求項１１】
複数のゲート線、前記ゲート線と交差する複数のデータ線、および前記ゲート線のうちの一つと前記データ線のうちの一つとにそれぞれ連結されている複数の画素を含む液晶表示板組立体を含む液晶表示装置の映像表示方法であって、
前記液晶表示板組立体の第１表示領域にブラックを表示する段階を含み、
前記液晶表示板組立体は、前記第１表示領域と隣接した非表示領域が切断されて除去された、
液晶表示装置の映像表示方法。
【請求項１２】
前記液晶表示板組立体は前記ゲート線に沿って切断されており、前記第１表示領域は前記ゲート線に沿って形成される、請求項１１に記載の液晶表示装置の映像表示方法。
【請求項１３】
前記第１表示領域は少なくとも一つのゲート線に対応し、
前記少なくとも一つのゲート線に連結されている画素にブラックデータを提供する段階をさらに含む、
請求項１２に記載の液晶表示装置の映像表示方法。
【請求項１４】
前記第１表示領域は少なくとも一つのゲート線に対応し、前記少なくとも一つのゲート線はゲートオフ電圧に連結されている、請求項１２に記載の液晶表示装置の映像表示方法。
【請求項１５】
前記第１表示領域は複数のゲート線に対応し、前記複数のゲート線のうちの少なくとも二つのゲート線は互いに連結されている、請求項１２に記載の液晶表示装置の映像表示方法。
【請求項１６】
前記液晶表示板組立体は前記データ線に沿って切断されており、前記第１表示領域は前記データ線に沿って形成されている、請求項１１に記載の液晶表示装置の映像表示方法。
【請求項１７】
前記第１表示領域は少なくとも一つのデータ線に対応し、
前記少なくとも一つのデータ線に連結されている画素にブラックデータを提供する段階をさらに含む、
請求項１６に記載の液晶表示装置の映像表示方法。
【請求項１８】
前記液晶表示板組立体は前記ゲート線およびデータ線に沿って切断されており、前記第１表示領域は前記ゲート線およびデータ線に沿って形成される、請求項１１に記載の液晶表示装置の映像表示方法。
【請求項１９】
前記第１表示領域は少なくとも一つのゲート線および少なくとも一つのデータ線に対応し、
前記少なくとも一つのゲート線および前記少なくとも一つのデータ線に連結されている画素にブラックデータを提供する段階をさらに含む、
請求項１８に記載の液晶表示装置の映像表示方法。
【請求項２０】
前記液晶表示板組立体にダミーデータを提供する段階をさらに含む、請求項１１乃至請求項１９のいずれか一項に記載の液晶表示装置の映像表示方法。
【発明の詳細な説明】
【技術分野】
【０００１】
本発明は、液晶表示装置および映像表示方法に関する。
【背景技術】
【０００２】
一般的な液晶表示装置（ｌｉｑｕｉｄ  ｃｒｙｓｔａｌ  ｄｉｓｐｌａｙａｙ、ＬＣＤ）は、二つの表示板とその間に入っている誘電率異方性（ｄｉｅｌｅｃｔｒｉｃａｎ  ｉｓｏｔｒｏｐｙ）を有する液晶層を含む。液晶層に電界を印加し、この電界の強度を調節して液晶層を通過する光の透過率を調節することによって所望の画像を得る。このような液晶表示装置は携帯が簡便な平板表示装置（ｆｌａｔ  ｐａｎｅｌ  ｄｉｓｐｌａｙ、ＦＰＤ）の代表的なものであり、その中でも薄膜トランジスター（ｔｈｉｎ  ｆｉｌｍ  ｔｒａｎｓｉｓｔｏｒ、ＴＦＴ）をスイッチング素子として利用したＴＦＴ  ＬＣＤが主に利用されている。
【０００３】
一般に薄膜トランジスタが形成される表示板には、互いに交差する複数の表示信号線、つまり、ゲート線とデータ線が形成されており、ゲート線とデータ線の交差により定義される行列形態の画素領域には複数の薄膜トランジスターと画素電極が形成されている。薄膜トランジスターは、ゲート駆動ＩＣ（ｉｎｔｅｇｒａｔｅｄ  ｃｉｒｃｕｉｔ）がゲート線を通じて伝達するゲート信号に応じてデータ駆動ＩＣがデータ線を通じて伝達するデータ信号を制御して画素電極に伝送する。
【０００４】
液晶表示装置により表示される画面は、表示領域と非表示領域に区分される。表示領域には画素が存在して映像が表示されるが、表示領域を囲んでいる非表示領域には画素が存在せず、ブラックマトリックスで覆われていてブラックが表示される。場合によって特定の液晶表示装置では、非表示領域が存在しないこともあり、この場合には画面に表示される映像がバランスよく表示されず、表示品質が低下されることがある。
【発明の概要】
【発明が解決しようとする課題】
【０００５】
本発明が解決しようとする課題は、非表示領域が存在しない場合に、画面に表示される映像をバランスよく表示して表示品質を向上させることができる液晶表示装置および映像表示方法を提供することにある。
【課題を解決するための手段】
【０００６】
前記の課題を解決するための本発明の一実施形態による液晶表示装置は、複数のゲート線、前記ゲート線と交差する複数のデータ線、および前記ゲート線のうちの一つと前記データ線のうちの一つとにそれぞれ連結されている複数の画素を含む液晶表示板組立体と、前記画素に映像信号を提供する駆動部とを含み、前記液晶表示板組立体は、非表示領域のうちの少なくとも一側が切断されて除去されており、前記駆動部は、前記除去された非表示領域と隣接した第１表示領域にブラックを表示する。
【０００７】
前記液晶表示板組立体は前記ゲート線に沿って切断されており、前記第１表示領域は前記ゲート線に沿って形成されても良い。
【０００８】
前記第１表示領域は少なくとも一つのゲート線に対応し、前記駆動部は前記少なくとも一つのゲート線に連結されている画素にブラックデータを提供しても良い。
【０００９】
前記第１表示領域は少なくとも一つのゲート線に対応し、前記少なくとも一つのゲート線はゲートオフ電圧に連結されても良い。
【００１０】
前記第１表示領域は複数のゲート線に対応し、前記複数のゲート線のうちの少なくとも二つのゲート線は互いに連結されても良い。
【００１１】
前記液晶表示板組立体は前記データ線に沿って切断されており、前記第１表示領域は前記データ線に沿って形成されても良い。
【００１２】
前記第１表示領域は少なくとも一つのデータ線に対応し、前記駆動部は前記少なくとも一つのデータ線に連結されている画素にブラックデータを提供しても良い。
【００１３】
前記液晶表示板組立体は前記ゲート線およびデータ線に沿って切断されており、前記第１表示領域は前記ゲート線およびデータ線に沿って形成されても良い。
【００１４】
前記第１表示領域は少なくとも一つのゲート線および少なくとも一つのデータ線に対応し、前記駆動部は前記少なくとも一つのゲート線および前記少なくとも一つのデータ線に連結されている画素にブラックデータを提供しても良い。
【００１５】
前記駆動部は前記液晶表示板組立体にダミーデータを提供しても良い。
【００１６】
本発明の一実施形態による液晶表示装置の映像表示方法は、複数のゲート線、前記ゲート線と交差する複数のデータ線、および前記ゲート線のうちの一つと前記データ線のうちの一つとにそれぞれ連結されている複数の画素を含む液晶表示板組立体を含む液晶表示装置の映像表示方法であって、前記液晶表示板組立体の第１表示領域にブラックを表示する段階を含み、前記液晶表示板組立体は、前記第１表示領域と隣接した非表示領域が切断されて除去される。
【００１７】
前記液晶表示板組立体は前記ゲート線に沿って切断されており、前記第１表示領域は前記ゲート線に沿って形成されても良い。
【００１８】
前記第１表示領域は少なくとも一つのゲート線に対応し、前記少なくとも一つのゲート線に連結されている画素にブラックデータを提供する段階をさらに含んでも良い。
【００１９】
前記第１表示領域は少なくとも一つのゲート線に対応し、前記少なくとも一つのゲート線はゲートオフ電圧に連結されても良い。
【００２０】
前記第１表示領域は複数のゲート線に対応し、前記複数のゲート線のうちの少なくとも二つのゲート線は互いに連結されても良い。
【００２１】
前記液晶表示板組立体は前記データ線に沿って切断されており、前記第１表示領域は前記データ線に沿って形成されても良い。
【００２２】
前記第１表示領域は少なくとも一つのデータ線に対応し、前記少なくとも一つのデータ線に連結されている画素にブラックデータを提供する段階をさらに含んでも良い。
【００２３】
前記液晶表示板組立体は前記ゲート線およびデータ線に沿って切断されており、前記第１表示領域は前記ゲート線およびデータ線に沿って形成されても良い。
【００２４】
前記第１表示領域は少なくとも一つのゲート線および少なくとも一つのデータ線に対応し、前記少なくとも一つのゲート線および前記少なくとも一つのデータ線に連結されている画素にブラックデータを提供する段階をさらに含んでも良い。
【００２５】
前記液晶表示板組立体にダミーデータを提供する段階をさらに含んでも良い。
【発明の効果】
【００２６】
本発明によれば、液晶表示板組立体の少なくとも一側が除去されて非表示領域がない場合にも、これに対応する表示領域にブラックデータを提供してブラックを表示することによって、映像を表示する領域をブラックで囲むことができ、映像が全体画面で偏ることなくバランスよく表示されて表示品質を向上させることができる。
【図面の簡単な説明】
【００２７】
【図１】本発明の一実施形態による液晶表示装置のブロック図である。
【図２】本発明の一実施形態による液晶表示装置の一画素に対する等価回路図である。
【図３】本発明の一実施形態による液晶表示板組立体の概略図である。
【図４】図３に示した液晶表示装置をいずれか一方向に切断して製造した液晶表示装置の断面図である。
【図５】本発明の一実施形態による液晶表示装置で表示される１フレームの映像データを示した概略図である。
【図６】図５に示した映像データにより映像が表示された画面の一例を示した図面である。
【図７】図６に示した映像を表示するための液晶表示板組立体を概略的に示した図面である。
【図８】本発明の他の一実施形態による液晶表示装置で表示される１フレームの映像データを示した概略図である。
【図９】図８に示した映像データにより映像が表示された画面の一例を示した図面である。
【図１０】本発明の他の一実施形態による液晶表示装置で表示される１フレームの映像データを示した概略図である。
【図１１】図１０に示した映像データにより映像が表示された画面の一例を示した図面である。
【発明を実施するための形態】
【００２８】
添付した図面を参照して本発明の実施形態について本発明が属する技術分野で通常の知識を有する者が容易に実施することができるように詳しく説明する。
【００２９】
図面において、複数の層および領域を明確に表現するためにその厚さを拡大して示した。明細書全体を通して類似する部分については同一の図面符号を付した。層、膜、領域、板などの部分が他の部分の「上」にあるという時、これは他の部分の「直上」にある場合のみならず、その中間にまた他の部分がある場合も含む。反対に、ある部分が他の部分の「直上」にあるという時には、中間に他の部分がないことを意味する。
【００３０】
まず、図１乃至図３を参照して本発明の実施形態による液晶表示装置および映像表示方法について詳細に説明する。
【００３１】
図１は、本発明の一実施形態による液晶表示装置のブロック図であり、図２は、本発明の実施形態による液晶表示装置の一画素に対する等価回路図であり、図３は、本発明の実施形態による液晶表示板組立体の概略図である。
【００３２】
図１に示したように、本発明の実施形態による液晶表示装置は、液晶表示板組立体３００（ｌｉｑｕｉｄ  ｃｒｙｓｔａｌ  ｐａｎｅｌ  ａｓｓｅｍｂｌｙ）およびこれに連結されたゲート駆動部４００およびデータ駆動部５００、データ駆動部５００に連結された階調電圧生成部８００、これらを制御する信号制御部６００、および信号制御部６００に映像信号を提供する映像処理部７００を含む。
【００３３】
液晶表示板組立体３００は、等価回路から見る時、複数の信号線Ｇ１〜Ｇｑ、Ｄ１〜Ｄｐと、これに連結されており、ほぼ行列形態に配列された複数の画素（ｐｉｘｅｌ）ＰＸを含む。反面、図２および図３に示した構造から見る時、液晶表示板組立体３００は、下部表示板１００と、これと対向している上部表示板２００、これらの間に形成されており、二つの表示板１００、２００に対して垂直または水平に配向されている液晶分子を含む液晶層３から構成される。下部表示板１００は、薄膜トランジスター表示板（ｔｈｉｎ  ｆｉｌｍ  ｔｒａｎｓｉｓｔｏｒ  ａｒｒａｙ  ｐａｎｅｌ）とも呼ばれ、上部表示板２００は、カラーフィルター表示板（ｃｏｌｏｒ  ｆｉｌｔｅｒ  ａｒｒａｙ  ｐａｎｅｌ）とも呼ばれる。
【００３４】
二つの表示板１００、２００の周縁には、二つの表示板１００、２００を結合するための物質からなり、液晶が充填される部分を定義し、液晶が漏れることを防止するための密封材３１０が形成されており、二つの表示板１００、２００の外側面には光を偏光させる偏光板１２、２２がそれぞれ付着されている。偏光板１２、２２のうちのいずれか一つは省略しても良い。
【００３５】
信号線Ｇ１〜Ｇｑ、Ｄ１〜Ｄｐは、ゲート信号（「走査信号」ともいう）を伝達する複数のゲート線Ｇ１〜Ｇｑと、データ信号を伝達する複数のデータ線Ｄ１〜Ｄｐを含む。ゲート線Ｇ１〜Ｇｑはほぼ行方向に延び、互いにほぼ平行であり、データ線Ｄ１〜Ｄｐは、ほぼ列方向に延び、互いにほぼ平行である。
【００３６】
各画素ＰＸ、例えば、ｉ番目（ｉ＝１、２、…、ｑ）ゲート線Ｇｉとｊ番目（ｊ＝１、２、…、ｐ）データ線Ｄｊに連結された画素ＰＸは、信号線Ｇｉ、Ｄｊに連結されたスイッチング素子Ｑと、これに連結された液晶キャパシタ（ｌｉｑｕｉｄ  ｃｒｙｓｔａｌ  ｃａｐａｃｉｔｏｒ）ＣＬｃおよびストレージキャパシタ（ｓｔｏｒａｇｅ  ｃａｐａｃｉｔｏｒ）Ｃｓｔを含む。ストレージキャパシタＣｓｔは必要に応じて省略しても良い。
【００３７】
スイッチング素子Ｑは、下部表示板１００に備えられている薄膜トランジスターなどの三端子素子であって、その制御端子はゲート線Ｇｉに連結されており、入力端子はデータ線Ｄｊに連結されており、出力端子は液晶キャパシタＣＬｃおよびストレージキャパシタＣｓｔに連結されている。
【００３８】
液晶キャパシタＣＬｃは、下部表示板１００の画素電極１９１と上部表示板２００の共通電極２７０とを二つの端子とし、二つの電極１９１、２７０の間の液晶層３は誘電体として機能する。画素電極１９１は、スイッチング素子Ｑに連結され、共通電極２７０は、上部表示板２００の全面に形成されており、共通電圧が印加される。図２とは異なり、共通電極２７０が下部表示板１００に備えれても良く、この際には二つの電極１９１、２７０のうちの少なくとも一つが線状または棒状で形成されても良い。
【００３９】
液晶キャパシタＣＬｃの補助的な役割を果たすストレージキャパシタＣｓｔは、下部表示板１００に備えられた別個の信号線（図示せず）と画素電極１９１とが絶縁体を間において重なって構成され、この別個の信号線には共通電圧などの定められた電圧が印加される。しかしながら、ストレージキャパシタＣｓｔは、画素電極１９１が絶縁体を媒介として直上の前段のゲート線と重なって構成されても良い。
【００４０】
一方、色表示を具現するためには、各画素ＰＸが基本色（ｐｒｉｍａｒｙ  ｃｏｌｏｒ）のうちの一つを固有に表示したり（空間分割）、各画素ＰＸが時間により交互に基本色を表示する（時間分割）ようにして、これら基本色の空間的、時間的合計により所望の色相が認識されるようにする。基本色の例としては、赤色、緑色、青色など三原色が挙げられる。図２は、空間分割の一例として、各画素ＰＸが画素電極１９１に対応する上部表示板２００の領域に基本色のうちの一つを示す色フィルター２３０を備えることを示している。図２とは異なり、色フィルター２３０は下部表示板１００の画素電極１９１の上または下に形成しても良い。
【００４１】
再び図１を参照すれば、階調電圧生成部８００は、画素ＰＸの透過率と関連した２セットの階調電圧集合（または基準階調電圧集合）を生成する。２セットのうちの１セットは、共通電圧に対して正の値を有し、他の１セットは負の値を有する。
【００４２】
ゲート駆動部４００は、液晶表示板組立体３００のゲート線Ｇ１〜Ｇｑに連結され、ゲートオン電圧Ｖｏｎとゲートオフ電圧Ｖｏｆｆとの組み合わせから構成されたゲート信号をゲート線Ｇ１〜Ｇｑに印加する。
【００４３】
データ駆動部５００は、液晶表示板組立体３００のデータ線Ｄ１〜Ｄｐに連結されており、階調電圧生成部８００からの階調電圧を選択し、これをデータ信号としてデータ線Ｄ１〜Ｄｐに印加する。しかしながら、階調電圧生成部８００がすべての階調に対する電圧を提供することではなく、定められた数の基準階調電圧のみを提供する場合に、データ駆動部５００は基準階調電圧を分圧して全体階調に対する階調電圧を生成し、この中でデータ信号を選択する。
【００４４】
信号制御部６００は、ゲート駆動部４００およびデータ駆動部５００などを制御する。
【００４５】
このような駆動装置４００、５００、６００、８００のそれぞれは、少なくとも一つの集積回路チップの形態で液晶表示板組立体３００の上に直接装着されたり、可撓性印刷回路膜（ｆｌｅｘｉｂｌｅ  ｐｒｉｎｔｅｄ  ｃｉｒｃｕｉｔ  ｆｉｌｍ）（図示せず）の上に装着されてＴＣＰ（ｔａｐｅ  ｃａｒｒｉｅｒ  ｐａｃｋａｇｅ）の形態で液晶表示板組立体３００に付着されたり、別途の印刷回路基板（ｐｒｉｎｔｅｄ  ｃｉｒｃｕｉｔ  ｂｏａｒｄ）（図示せず）の上に装着されても良い。これとは異なり、これら駆動装置４００、５００、６００、８００が信号線Ｇ１〜Ｇｑ、Ｄ１〜Ｄｐおよびスイッチング素子Ｑなどとともに液晶表示板組立体３００に集積されても良い。また、駆動装置４００、５００、６００、８００は、単一のチップで集積されても良く、この場合、これらの中の少なくとも一つまたはこれらを構成する少なくとも一つの回路素子が、単一のチップの外側に位置しても良い。
【００４６】
映像処理部７００は、外部から映像信号を受信してこれを記憶し、液晶表示装置の表示動作に合うように入力映像信号ＲＧＢおよび入力制御信号ＣＯＮを生成して信号制御部６００に伝送する。外部からの映像信号は、液晶表示板組立体３００の解像度および表示規格に合うものであることもできるが、そうでないこともあり、この場合に映像処理部７００は、液晶表示板組立体３００の解像度および表示規格に合うように映像信号を適切に変換することができる。
【００４７】
次に、前記のような液晶表示装置の動作について詳細に説明する。
【００４８】
信号制御部６００は、映像処理部７００から入力映像信号ＲＧＢおよびその表示を制御する入力制御信号ＣＯＮを受信する。入力映像信号ＲＧＢは、各画素ＰＸの輝度（ｌｕｍｉｎａｎｃｅ）情報を含んでおり、輝度は定められた数、例えば、１０２４（＝２１０）、２５６（＝２８）または６４（＝２６）個の階調（ｇｒａｙ）を有している。入力制御信号ＣＯＮの例としては、垂直同期信号Ｖｓｙｎｃと水平同期信号Ｈｓｙｎｃ、メインクロックＭＣＬＫ、データイネーブル信号ＤＥなどがある。
【００４９】
信号制御部６００は、入力映像信号ＲＧＢと入力制御信号ＣＯＮに基いて入力映像信号ＲＧＢを液晶表示板組立体３００およびデータ駆動部５００の動作条件に合うように適切に処理し、ゲート制御信号ＣＯＮＴ１およびデータ制御信号ＣＯＮＴ２などを生成した後、ゲート制御信号ＣＯＮＴ１をゲート駆動部４００に伝送し、データ制御信号ＣＯＮＴ２と処理した映像データＤＡＴをデータ駆動部５００に伝送する、
【００５０】
ゲート制御信号ＣＯＮＴ１は、走査開始を指示する走査開始信号ＳＴＶとゲートオン電圧Ｖｏｎの出力周期を制御する少なくとも一つのクロック信号を含む。ゲート制御信号ＣＯＮＴ１はまた、ゲートオン電圧Ｖｏｎの持続時間を限定する出力イネーブル信号ＯＥをさらに含んでも良い。
【００５１】
データ制御信号ＣＯＮＴ２は、一行の画素ＰＸに対する映像データの伝送開始を知らせる水平同期開始信号ＳＴＨとデータ線Ｄ１〜Ｄｐにデータ信号を印加せよというロード信号ＬＯＡＤおよびデータクロック信号ＨＣＬＫを含む。データ制御信号ＣＯＮＴ２はまた、共通電圧Ｖｃｏｍに対するデータ信号の電圧極性（以下、「共通電圧に対するデータ信号の電圧極性」を略して「データ信号の極性」という）を反転させる反転信号ＲＶＳをさらに含んでも良い。
【００５２】
信号制御部６００からのデータ制御信号ＣＯＮＴ２に応じてデータ駆動部５００は一行の画素ＰＸに対するデジタル映像データＤＡＴを受信し、各デジタル映像データＤＡＴに対応する階調電圧を選択することによって、デジタル映像データＤＡＴをアナログデータ信号に変換した後、これを当該データ線Ｄ１〜Ｄｐに印加する。
【００５３】
ゲート駆動部４００は、信号制御部６００からのゲート制御信号ＣＯＮＴ１に応じてゲートオン電圧Ｖｏｎをゲート線Ｇ１〜Ｇｑに印加し、このゲート線Ｇ１〜Ｇｑに連結されたスイッチング素子Ｑをターンオンさせる。そうすると、データ線Ｄ１〜Ｄｐに印加されたデータ信号がターンオンされたスイッチング素子Ｑを通じて当該画素ＰＸに印加される。
【００５４】
画素ＰＸに印加されたデータ信号の電圧と共通電圧Ｖｃｏｍとの差は、液晶キャパシタＣＬｃの充電電圧、つまり、画素電圧として示される。液晶分子は、画素電圧の大きさに応じてその配列を異にし、これによって液晶層３を通過する光の偏光が変化する。このような偏光の変化は、液晶表示板組立体３００に付着された偏光子により光の透過率変化として示される。
【００５５】
１水平周期［「１Ｈ」ともいい、水平同期信号Ｈｓｙｎｃおよびデータイネーブル信号ＤＥの一周期と同一である］を単位としてこのような過程を繰り返すことによって、すべてのゲート線Ｇ１〜Ｇｑに対して順次にゲートオン電圧Ｖｏｎを印加し、すべての画素ＰＸにデータ信号を印加して１フレーム（ｆｒａｍｅ）の映像を表示する。
【００５６】
１フレームが終わると次のフレームが始まり、各画素ＰＸに印加されるデータ信号の極性が直前フレームにおける極性と反対となるようにデータ駆動部５００に印加される反転信号ＲＶＳの状態が制御される（「フレーム反転」）。この時、１フレーム内でも反転信号ＲＶＳの特性に応じて一データ線を通じて流れるデータ信号の極性が変わったり（例：行の反転、点の反転）、一画素行に印加されるデータ信号の極性も互いに異なっても良い（例：列の反転、点の反転）。
【００５７】
次に、前記のような液晶表示装置を切断して加工することによって所望の大きさを有する液晶表示装置を製造する方法について、図１および図３と共に図４を参照して詳細に説明する。
【００５８】
図４は、図３に示した液晶表示装置をいずれか一方向に切断して製造した液晶表示装置の断面図である。
【００５９】
図３を参照すれば、液晶表示板組立体３００は要求される大きさに応じて切断線ＡＡ´方向または切断線ＢＢ´方向に切断されても良い。切断線ＡＡ´はゲート線Ｇ１〜Ｇｑと平行な方向であり、切断線ＢＢ´はデータ線Ｄ１〜Ｄｐと平行な方向である。いずれの方向に液晶表示装置３００を切断しても以下で説明する切断方法は同一に適用される。以下、図１に示したように、切断線ＡＡ´によりゲート線Ｇｎ、Ｇｎ+１の間が切断され、切断線ＢＢ´によりデータ線Ｄｍ、Ｄｍ+１の間が切断されるものと説明する。
【００６０】
まず、切断線ＡＡ´またはＢＢ´に沿って一定幅で液晶表示板組立体３００の偏光板１２、２２を薄皮する。偏光板１２、２２が薄皮されると、下部表示板１００および上部表示板２００が露出する。その後、露出した下部表示板１００および上部表示板２００を顕微鏡などで観察してゲート線Ｇｎ、Ｇｎ+１および／またはデータ線Ｄｍ、Ｄｍ+１が損傷しないように切断位置を設定する。その後、設定された切断位置に応じてダイヤモンドホイール、ダイヤモンド針、レーザーなどを利用して上部表示板２００の中間深さまで第１スクライブラインを作り、液晶表示板組立体３００をひっくり返して第１スクライブラインと正確に一致するように下部表示板１００の中間深さまで第２スクライブラインを作る。
【００６１】
上部表示板２００と下部表示板１００にスクライブラインが形成された状態でほぼ３０分程度鎮静させる。鎮静させる間に二つの表示板１００、２００に形成されたスクライブラインに沿って自然亀裂が生じて液晶層３に空気が流入し、液晶層３に空気が流入されると流入された空気により一時的に液晶層３の流出が制限される。このような鎮静段階を経た後、外部で一定の力を加えると、液晶表示板組立体３００はスクライブラインに沿って切断される。切断された部位にシーリング材３２０を被せて切断された部位から液晶の流出を防止する。
【００６２】
このような段階を経ると所望の大きさの液晶表示板組立体３０１を製造することができる。切断線ＡＡ´により切断された液晶表示板組立体３０１は、ゲート線Ｇｎ+１〜Ｇｑが除去されて信号線Ｇ１〜Ｇｎ、Ｄ１〜Ｄｐが残り、切断線ＢＢ´により切断された液晶表示板組立体３０１は、データ線Ｄｍ+１〜Ｄｐが除去されて信号線Ｇ１〜Ｇｑ、Ｄ１〜Ｄｍが残り、切断線ＡＡ´およびＢＢ´により切断された液晶表示板組立体３０１は、信号線Ｇ１〜Ｇｎ、Ｄ１〜Ｄｍが残る。残っている信号線に応じて液晶表示板組立体３０１の大きさおよび解像度が決定される。
【００６３】
ところで、このように液晶表示板組立体３０１を製造しても映像を表示するための信号制御部６００および駆動部４００、５００は、切断される前の液晶表示板組立体３００に合うように信号を処理する。したがって、入力映像信号ＲＧＢを適切な形式に生成して切断された後の液晶表示板組立体３０１に映像を表示する必要がある。もちろん、信号制御部６００および駆動部４００、５００を液晶表示板組立体３０１に合うように変更しても良いが、これら４００、５００、６００をそのまま使用することが便利で、且つ費用面でも有利である。
【００６４】
次に、切断された液晶表示板組立体３０１の表示動作に合うように入力映像信号ＲＧＢを生成する方法について多様な例を挙げて図５乃至図１１を参照して詳細に説明する。
【００６５】
図５は、本発明の一実施形態による液晶表示装置で表示される１フレームの映像データを示した概略図であり、図６は、図５に示した映像データにより映像が表示された画面の一例を示した図面であり、図７は、図６に示した映像を表示するための液晶表示板組立体を概略的に示した図面である。これら図面は本発明の実施形態による液晶表示板組立体３００を切断線ＡＡ´に沿って切断した場合を説明するための図面である。
【００６６】
図５を参照すれば、１フレームの映像データはＱ個のラインデータＬＤ１〜ＬＤｑから構成され、一つのラインデータＬＤ１〜ＬＤｑはＰ個の画素データＰＤ１〜ＰＤｐから構成される。各ラインデータＬＤ１〜ＬＤｑは当該添字に対応するゲート線Ｇ１〜Ｇｑに連結された画素行に印加され、各画素データＰＤ１〜ＰＤｐは当該添字に対応するデータ線Ｄ１〜Ｄｐに印加される。
【００６７】
図６を参照すれば、本発明の実施形態による液晶表示装置は、周縁がケース９００で囲まれており、ケース９００で囲まれて使用者に視認される画面は、画面の大部分を占める表示領域ＤＡ１、表示領域ＤＡ１の下側に位置し、表示領域ＤＡ１とケース９００との間に位置する表示領域ＤＡ２、および表示領域ＤＡ１の左右側と上側に存在する非表示領域ＮＡに区分される。表示領域ＤＡ１、ＤＡ２には画素ＰＸが存在して所望の映像を表示することができるが、非表示領域ＮＡには画素ＰＸが存在せず、下部からの光を遮断する役割を果たすブラックマトリックス（ｂｌａｃｋ  ｍａｔｒｉｘ）が形成されており、任意の映像を表示することができずに黒色でのみ表示される。表示領域ＤＡ２は、切断された液晶表示板組立体３０１の切断線ＡＡ´の上側ゲート線Ｇｎ−４〜Ｇｎが位置する領域に対応する。もちろん、本実施形態では表示領域ＤＡ２が５個のゲート線Ｇｎ−４〜Ｇｎに対応する領域であるものと説明するが、これに限定されず、必要に応じてその数は加減しても良い。
【００６８】
フレームデータは、表示される内容に応じて正常データ、ブラックデータおよびダミー（ｄｕｍｍｙ）データから構成される。ラインデータＬＤ１〜ＬＤｎ−５に対応する正常データは、液晶表示板組立体３０１の表示領域ＤＡ１に表示され、実際表示しようとする内容の映像データから構成される。ラインデータＬＤｎ−４〜ＬＤｎに対応するブラックデータは、液晶表示板組立体３０１の表示領域ＤＡ１に黒色（ブラック）で表示される。ラインデータＬＤｎ+１〜ＬＤｑに対応するダミーデータは、すでに切断されて除去されたゲート線Ｇｎ+１〜Ｇｑが占める領域に対応するデータであって、信号制御部６００および駆動部４００、５００が１フレームの動作を完了するために必要なものであるため、実際に画面に表示されない。したがって、ダミーデータは、任意のデータ値を有しても良く、例えば２５６階調の場合、「００」または「ＦＦ」に設定されても良いが、これに限定されない。
【００６９】
このような映像データで映像を表示すると、図６に示したように、表示領域ＤＡ１の下側に位置する表示領域ＤＡ２に常時ブラックが表示されるため、表示領域ＤＡ２がまるで非表示領域ＮＡと同一な機能をするようになる。したがって、表示領域ＤＡ１を囲んでいる非表示領域ＮＡおよび表示領域ＤＡ２が黒色で視認されるため、表示領域ＤＡ１に表示される映像が全体画面で偏ることなくバランスよく表示される。
【００７０】
一方、図７を参照すれば、本発明の実施形態による液晶表示板組立体３００には、横方向にゲート線Ｇ１〜Ｇｑが形成されており、縦方向にデータ線Ｄ１〜Ｄｐが形成されている。各ゲート線Ｇ１〜Ｇｑの左側端にはゲートパッドＧＰが形成されており、各データ線Ｄ１〜Ｄｐの上側端にはデータパッドＤＰが形成されている。ゲートパッドＧＰおよびデータパッドＤＰには、それぞれゲート駆動部４００およびデータ駆動部５００が実装されたり、可撓性印刷回路膜が付着されても良い。ゲート駆動部４００からのゲート信号は、ゲートパッドＧＰを通じてゲート線Ｇ１〜Ｇｑに伝達され、データ駆動部５００からのデータ信号は、データパッドＤＰを通じてデータ線Ｄ１〜Ｄｐに伝達される。
【００７１】
切断線ＡＡ´で液晶表示板組立体３００を切断した後、表示領域ＤＡ２に対応するゲート線Ｇｎ−４〜Ｇｎをレーザーなどを利用して当該ゲートパッドＧＰから切断し、ゲートオフ電圧Ｖｏｆｆが印加される信号線（図示せず）に連結する（「×」と表示する）。切断地点および／または連結地点ＳＰは、当該ゲート線Ｇｎ−４〜Ｇｎが形成されている非表示領域ＮＡに位置することが好ましい。そうすると、当該ゲート線Ｇｎ−４〜Ｇｎにはゲートオフ電圧Ｖｏｆｆが伝達され、ゲートオフ電圧Ｖｏｆｆは−７Ｖ〜−５Ｖであるため、当該ゲート線Ｇｎ−４〜Ｇｎに連結されているスイッチング素子Ｑは常時ターンオフされる。したがって、任意の映像データが当該画素ＰＸに伝達されても表示領域ＤＡ２にはブラックが表示される。この場合、図７に示した液晶表示板組立体３００の液晶モードは、画素ＰＸに映像信号が印加されない時にブラックを表示するノーマリーブラック（ｎｏｒｍａｌｌｙ  ｂｌａｃｋ）でなければならず、ＰＶＡ（ｐａｔｔｅｒｎｅｄ  ｖｅｒｔｉｃａｌ  ａｌｉｇｎｍｅｎｔ）モードなどがこれに該当する。
【００７２】
必要に応じてゲート線Ｇｎ−４〜Ｇｎを当該ゲートパッドＧＰから切断した後、共通電圧に連結しても良いが、この場合、共通電圧は０Ｖ以下であることが好ましい。
【００７３】
切断線ＡＡ´とゲートパッドＧＰの位置により表示領域ＤＡ２のゲート線Ｇｎ−４〜Ｇｎのうちの一部［例えば、ゲート線Ｇｎ−３〜Ｇｎとする］がゲート駆動部４００に連結されず、ゲート信号が供給され得ない場合に、修理線（図示せず）を利用してゲート線Ｇｎ−３〜Ｇｎをゲート線Ｇｎ−４に連結することによって、ゲート線Ｇｎ−４に供給されるゲート信号をゲート線Ｇｎ−３〜Ｇｎに供給することができ、これによってラインデータＬＤｎ−４に対応するブラックデータが表示領域ＤＡ２の全体画素ＰＸに印加されて表示領域ＤＡ２に黒色が表示される。
【００７４】
図８は、本発明の他の一実施形態による液晶表示装置で表示される１フレームの映像データを示した概略図であり、図９は、図８に示した映像データにより映像が表示された画面の一例を示した図面である。これら図面は本発明の一実施形態による液晶表示板組立体３００を切断線ＢＢ´に沿って切断した場合を説明するための図面である。本実施形態における多くの部分が前述の実施形態と同一であるため、同一な部分についての説明は省略し、他の部分についてのみ説明する。
【００７５】
図８に示した１フレームの映像データのうち、正常データは、各ラインデータＬＤ１〜ＬＤｑのうちの画素データＰＤ１〜ＰＤｍ−１５から構成され、ブラックデータは、各ラインデータＬＤ１〜ＬＤｑのうちの画素データＰＤｍ−１４〜ＰＤｍから構成され、ダミーデータは、各ラインデータＬＤ１〜ＬＤｑのうちの画素データＰＤｍ+１〜ＰＤｐから構成される。
【００７６】
図９を参照すれば、本実施形態による液晶表示装置は、表示領域ＤＡ２が表示領域ＤＡ１の右側に位置し、切断された液晶表示板組立体３０１の切断線ＢＢ´の左側データ線Ｄｍ−１４〜Ｄｍが位置する領域に対応する。本実施形態では表示領域ＤＡ２が１５個のデータ線Ｄｍ−１４〜Ｄｍに対応する領域であるものと説明するが、これに限定されず、必要に応じてその数は加減されても良い。一つの映像を表現することができる基本単位であるドット（ｄｏｔ）は複数の画素ＰＸが集合して構成されるため（本実施形態では３個の画素が集合して一つのドットを構成する）、表示領域ＤＡ２に対応するデータ線Ｄｍ−１４〜Ｄｍの数は前述の実施形態のゲート線Ｇｎ−４〜Ｇｎの数よりも多い。
【００７７】
このような映像データで映像を表示すると、図９に示したように、表示領域ＤＡ１の右側に位置する表示領域ＤＡ２に常時ブラックが表示されるため、表示領域ＤＡ２がまるで非表示領域ＮＡと同一な機能をするようになる。したがって、前述の実施形態と同様に表示領域ＤＡ１を囲んでいる非表示領域ＮＡおよび表示領域ＤＡ２が黒色で視認され、表示領域ＤＡ１に表示される映像が全体画面で偏ることなくバランスよく表示される。
【００７８】
図１０は、本発明の他の一実施形態による液晶表示装置で表示される１フレームの映像データを示した概略図であり、図１１は、図１０に示した映像データにより映像が表示された画面の一例を示した図面である。これら図面は本発明の実施形態による液晶表示板組立体３００を切断線ＡＡ´およびＢＢ´に沿って切断した場合を説明するための図面である。本実施形態における多くの部分が前述の実施形態と同一であるため、同一な部分についての説明は省略し、他の部分についてのみ説明する。
【００７９】
図１０に示した１フレームの映像データのうち、正常データは、各ラインデータＬＤ１〜ＬＤｎ−５のうちの画素データＰＤ１〜ＰＤｍ−１５から構成され、ブラックデータは、各ラインデータＬＤ１〜ＬＤｎ−５のうちの画素データＰＤｍ−１４〜ＰＤｍおよび各ラインデータＬＤｎ−４〜ＬＤｎのうちの画素データＰＤ１〜ＰＤｍから構成され、ダミーデータは、各ラインデータＬＤ１〜ＬＤｎのうちの画素データＰＤｍ+１〜ＰＤｐおよびラインデータＬＤｎ+１〜ＬＤｑから構成される。
【００８０】
図１１を参照すれば、本実施形態による液晶表示装置で表示領域ＤＡ２は表示領域ＤＡ１の右側および下側に位置し、切断された液晶表示板組立体３０１の切断線ＡＡ´の上側のゲート線Ｇｎ−４〜Ｇｎおよび切断線ＢＢ´の左側のデータ線Ｄｍ−１４〜Ｄｍが位置する領域に対応する。
【００８１】
このような映像データで映像を表示すると、図１１に示したように、表示領域ＤＡ１の右側および下側に位置する表示領域ＤＡ２に常時ブラックが表示されるため、表示領域ＤＡ２がまるで非表示領域ＮＡと同一な機能をするようになる。したがって、前述の実施形態と同様に、表示領域ＤＡ１を囲んでいる非表示領域ＮＡおよび表示領域ＤＡ２が黒色で視認され、表示領域ＤＡ１に表示される映像が全体画面で偏ることなくバランスよく表示される。
【００８２】
本実施形態でも、図７に示したように、表示領域ＤＡ２に対応するゲート線Ｇｎ−４〜Ｇｎをレーザーなどを利用して当該ゲートパッドＧＰから切断し、ゲートオフ電圧Ｖｏｆｆに連結することによって、表示領域ＤＡ１の下側に位置する表示領域ＤＡ２にブラックを表示することができる。また、場合によってはゲート駆動部４００と連結が切れた表示領域ＤＡ２のゲート線Ｇｎ−３〜Ｇｎをゲート線Ｇｎ−４に連結することによって、表示領域ＤＡ２にブラックを表示することができる。
【００８３】
以上の本発明の実施形態によれば、表示領域ＤＡ２が表示領域ＤＡ１の下側または右側に位置するものと説明したが、ゲート駆動部４００またはデータ駆動部５００の位置に応じて表示領域ＤＡ１の上側または左側に位置しても良い。
【００８４】
以上で本発明の好ましい実施形態について詳細に説明したが、本発明の権利範囲はこれに限定されるのではなく、次の特許請求の範囲で定義している本発明の基本概念を利用した当業者の多様な変形および改良形態も本発明の権利範囲に属する。
【符号の説明】
【００８５】
３００    液晶表示板組立体
４００    ゲート駆動部
５００    データ駆動部
６００    信号制御部
７００    映像処理部
８００    階調電圧生成部
ＣＯＮＴ１    ゲート制御信号
ＣＯＮＴ２    データ制御信号
ＤＡ    表示領域
ＮＡ    非表示領域
Ｄ１〜Ｄｐ    データ線
Ｇ１〜Ｇｑ    ゲート線
ＤＡＴデジタル映像データ
ＣＯＮ    入力制御信号
ＲＧＢ    入力映像信号
Ｖｏｆｆ    ゲートオフ電圧
Ｖｏｎ    ゲートオン電圧
【図１】
2011524545.tif 000003
【図２】
2011524545.tif 000004
【図３】
2011524545.tif 000005
【図４】
2011524545.tif 000006
【図５】
2011524545.tif 000007
【図６】
2011524545.tif 000008
【図７】
2011524545.tif 000009
【図８】
2011524545.tif 000010
【図９】
2011524545.tif 000011
【図１０】
2011524545.tif 000012
【図１１】
2011524545.tif 000013
【国際調査報告】
2011524545.tif 000014
2011524545.tif 000015
2011524545.tif 000016
2011524545.tif 000017